(57)【特許請求の範囲】
【請求項１】
複数の重複プリントヘッドセグメントを備え、隣接セグメント間の空間的関係が時間とともに可変である、インク吐出プリントヘッドにおける、重複セグメント内のノズルの吐出を制御する方法であって、前記方法は：
（ａ）隣接プリントヘッドセグメント間の重複量を決定するステップと；
（ｂ）重複セグメントの重複領域内のノズルに関するハーフトーニングパターンを作成するステップと；
（ｃ）隣接する重複セグメントの対応するノズル両方で１つの出力を形成しないことが確保されるように、且つ前記プリントヘッドセグメントの重複により形成されるアーチファクトが低減されるように、前記決定された重複量に依存する前記ハーフトーニングパターンを調整するステップと、
を備える方法。
【請求項２】
隣接プリントヘッドセグメント間の前記重複量を決定する前記ステップが、前記プリントヘッドセグメントの温度を計測するステップを含む、
請求項１記載のノズルの吐出を制御する方法。
【請求項３】
隣接プリントヘッドセグメント間の前記重複量を決定する前記ステップが、前記プリントヘッドセグメントの縮小と熱膨張とによる前記重複セグメントの相対的な位置ずれを計測するステップを含む、
請求項１記載のノズルの吐出を制御する方法。
【請求項４】
重複セグメントの重複領域内のノズルに関するハーフトーニングパターンを作成する前記ステップが、補間及びディザマトリクスを用いるステップを含む、
請求項２記載のノズルの吐出を制御する方法。
【請求項５】
前記ハーフトーニングパターンを調整する前記ステップは、ＶAとＶBが前記ディザマトリクスに対する２つの隣接セグメントのそれぞれの入力値であり、Ｖが再現されるべき連続階調値である場合に、ＶA＋ＶBはＶよりも大きい、請求項４記載のノズルの吐出を制御する方法。
【請求項６】
それぞれのセグメントに対応するノズルが両方同時に吐出しないように、隣接セグメント内のノズルの吐出を調整するステップを更に含む、
請求項５記載のノズルの吐出を制御する方法。
【請求項７】
前記更なるステップが、セグメント切り替えのために逆ディザマトリクスを用いるステップを含む、
請求項５記載のノズルの吐出を制御する方法。
【請求項８】
前記更なるステップが、前記補間関数の現在の補間因子により与えられる確率に応じて、出力ドットを一方のノズルまたは他方のノズルに確率的に割り当てるステップを含む、
請求項５記載のノズルの吐出を制御する方法。
【請求項９】
インク吐出プリントヘッドシステムであって、前記システムは：
複数の空間的に離間した重複プリントヘッドセグメントと；
隣接プリントヘッドセグメント間の重複量を計測する少なくとも1つの手段と；
連続階調画像のハーフトーニングを提供する手段と；
前記隣接セグメント間のアーチファクトが低減されるように、隣接プリントヘッドセグメント間の重複領域内の前記ハーフトーニング手段を調整する手段と、
を備え、
連続階調画像のハーフトーニングを提供する前記手段、および前記隣接セグメント間のアーチファクトが低減されるように隣接プリントヘッドセグメント間の重複領域内の前記ハーフトーニング手段を調整する前記手段は、アルゴリズムでプログラムされたプログラム可能なディジタルコンピュータを含み、前記アルゴリズムは、隣接セグメントに対応するノズルが、決して１個のドットを両方で同時に形成しないように、また所望の出力値が隣接セグメントの２個の入力ディザマトリクス値の総和より小さくなるように、連続階調画素値の分散ドット確率ディザ再生を提供する関数を生成する、インク吐出プリントヘッドシステム。
【請求項１０】
隣接プリントヘッドセグメント間の重複量を計測する前記少なくとも1つの手段が、前記隣接プリントヘッドセグメントの温度計測手段を含む、
請求項９記載のインク吐出プリントヘッドシステム。
【請求項１１】
隣接プリントヘッドセグメント間の重複量を計測する前記少なくとも1つの手段が、前記隣接プリントヘッドセグメントの相対的な位置ずれ計測手段を含む、
請求項９記載のインク吐出プリントヘッドシステム。
【発明の詳細な説明】
【０００１】
【発明の分野】
本発明はインクジェットプリンティングの分野に関し、詳細には、重複セグメントを有するプリントヘッドアセンブリの時間とともに変動するノズルのミスアライメントを補正する方法および装置を開示する。
【０００２】
【同時係属出願】
本発明に関する様々な方法、システムおよび装置が、本発明の出願人または譲受人により本出願と同時に出願された以下の同時係属出願に開示されている：
PCT/AU00/00518, PCT/AU00/00519, PCT/AU00/00520, PCT/AU00/00521, PCT/AU00/00522, PCT/AU00/00523, PCT/AU00/00524, PCT/AU00/00525, PCT/AU00/00526, PCT/AU00/00527, PCT/AU00/00528, PCT/AU00/00529, PCT/AU00/00530, PCT/AU00/00531, PCT/AU00/00532, PCT/AU00/00533, PCT/AU00/00534, PCT/AU00/00535, PCT/AU00/00536, PCT/AU00/00537, PCT/AU00/00538, PCT/AU00/00539, PCT/AU00/00540, PCT/AU00/00541, PCT/AU00/00542, PCT/AU00/00543, PCT/AU00/00544, PCT/AU00/00545, PCT/AU00/00547, PCT/AU00/00546, PCT/AU00/00554, PCT/AU00/00556, PCT/AU00/00557, PCT/AU00/00558, PCT/AU00/00559, PCT/AU00/00560, PCT/AU00/00561, PCT/AU00/00562, PCT/AU00/00563, PCT/AU00/00564, PCT/AU00/00565, PCT/AU00/00566, PCT/AU00/00567, PCT/AU00/00568, PCT/AU00/00569, PCT/AU00/00570, PCT/AU00/00571, PCT/AU00/00572, PCT/AU00/00573, PCT/AU00/00574, PCT/AU00/00575, PCT/AU00/00576, PCT/AU00/00577, PCT/AU00/00578, PCT/AU00/00579, PCT/AU00/00581, PCT/AU00/00580, PCT/AU00/00582, PCT/AU00/00587, PCT/AU00/00588, PCT/AU00/00589, PCT/AU00/00583, PCT/AU00/00593, PCT/AU00/00590, PCT/AU00/00591, PCT/AU00/00592, PCT/AU00/00584, PCT/AU00/00585, PCT/AU00/00586, PCT/AU00/00594, PCT/AU00/00595, PCT/AU00/00596, PCT/AU00/00597, PCT/AU00/00598, PCT/AU00/00516, PCT/AU00/00517, PCT/AU00/00511, PCT/AU00/00501, PCT/AU00/00502, PCT/AU00/00503, PCT/AU00/00504, PCT/AU00/00505, PCT/AU00/00506, PCT/AU00/00507, PCT/AU00/00508, PCT/AU00/00509, PCT/AU00/00510, PCT/AU00/00512, PCT/AU00/00513, PCT/AU00/00514, およびPCT/AU00/00515。
【０００３】
これらの同時係属出願の開示内容は、クロスリファレンスにより本明細書に盛り込まれる。
【０００４】
【発明の背景】
本出願人の同時係属出願であるＰＣＴ／ＡＵ９８／００５５０において、新規なインク吐出メカニズムを採用して高速でページ幅を移動してプリントを行なう一連のインクジェットプリンティングの構成が提案された。開示されたこの構成では、モノリシック構造の一部として構成されたサーマルベンドアクチュエータを用いていた。
【０００５】
そのような構成では、ページ幅のドロップオンデマンドプリントヘッドに設ける大型のインク吐出ノズルアレーを形成することが望ましい。好ましくは、超高解像度の液滴サイズが要求される。例えば、オフセットプリンティングのような競合する一般のプリンティングシステムでは、１６００ドット／インチ（１６００ｄｐｉ）の解像度が可能である。従って、例えば８インチ幅を有するＡ４ページプリントヘッドにおいてその解像度でプリントするには、各色毎に約１２８００個相当のインク吐出ノズルが必要であろう。標準的な４色プロセスを想定すると、約５１０００個のインク吐出ノズルに相当する。標準的な４色に加え、定着剤、ＩＲインクを含む６色インクプロセスに関しては、７６８００個のインク吐出ノズルとなる。残念ながら、シリコンウエーハ基板のような基板の連続的なセグメントから大型モノリシックプリントヘッドを製造することは非現実的である。これは第一に、構造の大きさが増して歩留まりが大幅に低下するためである。歩留まりの問題は半導体業界において十分研究されている問題であり、インクジェットデバイスの製造では、半導体または類似の半導体プロセス技術を利用することが多い。より詳細には、この分野はMicro Electro Mechanical Systems (MEMS)として一般に周知である。MEMS分野の検分は、１９９８年１２月のIEEE SpectrumにおいてS Tom PicrauxとPaul J McWhorterによる"The Broad Sweep of Integrated Micro Systems(集積マイクロシステムの幅広い掃引)"という見出し記事でなされている。
【０００６】
高歩留まりを維持するという問題の一つの解決手段は、多数のセグメント内に非常に長いプリントヘッドを製造し、セグメントと継ぎ合わせるかまたは重複させることである。残念ながら、インク吐出ノズルの超過密ピッチでは、通常の動作条件下で熱サイクルが出現しても、隣接プリントヘッドセグメント間の間隔を超精密に管理しなければならないプリントヘッドデバイス手段が必要になる。例えば、１６００ドット／インチの解像度を提供するためには、ノズルとノズルの間隔は約１６ミクロンであることが要求される。
【０００７】
環境条件とプリントヘッドの動作環境により、重複領域内にプリントヘッドの熱サイクルが発生し、隣接プリントヘッドセグメント間の重複が拡大および縮小され、結果的に出力画像のアーチファクト形成につながる。例えば、プリントヘッドの温度が動作中に周囲よりも２５℃を超えて上昇することもある。また、プリントヘッドアセンブリは、プリントヘッドセグメントとは異なる温度特性を有する材料で製造されることもあり、その結果、これらコンポーネント間で熱膨張が異なることになる。シリコン基板を、それぞれの熱膨張係数が２．６ｘ１０-6および２０ｘ１０-6ミクロン／℃であるエラストマでパッケージされることもある。
【０００８】
アーチファクトは、プリントヘッドの制限解像度で連続階調画像を二値化で表わすこと、そして、画像の隣接ドットの色において人間の目が０．５％の差を検出可能であることにより形成される。
【０００９】
【発明の概要】
本発明の目的は、効果的で便利な方法で、動作中に重複プリントヘッドセグメントの相対的な位置ずれを補正するメカニズムを提供することである。
【００１０】
本発明の第一の態様によると、隣接セグメント間の空間的関係が時間とともに可変であり、複数の重複プリントヘッドセグメントを含むインク吐出プリントヘッドにおいて、重複セグメント内のノズルの吐出を制御する方法であって：（ａ）隣接プリントヘッドセグメント間の重複の指標を定量するステップと；（ｂ）重複セグメントの重複領域のノズルに関するハーフトーンパターンを生成するステップと；（ｃ）前記プリントヘッドセグメントの重複により形成されるアーチファクトが低減されるように、前記プリントヘッドセグメントの重複領域内の前記指標の関数として前記ハーフトーンパターンを調整するステップと、を備える方法が提供される。
【００１１】
重複の指標を定量するステップでは、プリントヘッドセグメントの温度の計測を行なうことが好ましい。ハーフトーニングパターンはディザマトリクスまたはディザ量の手段により形成されることが好ましく、変動はディザマトリクスまたはディザ量を用いる前に、重複値を現在の連続階調画素出力値に加算することを含むことができる。温度計測の代わりに、各セグメント上の基点ストリップを使用して距離計測を実施してもよく、セグメント間の相対的な移動度を判断する干渉技術を用いてもよい。
【００１２】
本発明の更なる態様によると：複数の空間的に離間した重複プリントヘッドセグメントと；隣接プリントヘッドセグメント間の重複度の計測を行なう少なくとも一つの手段と；連続階調画像のハーフトーニングを提供する手段と；前記隣接セグメント間のアーチファクトが低減されるように、隣接プリントヘッドセグメント間の重複領域内の前記ハーフトーニング手段を調整する手段と、を備えるインク吐出プリントヘッドシステムを提供する。
【００１３】
ハーフトーニング手段の調整手段は、連続階調入力、空間的重複入力、および二値入力を含み、ハーフトーニング手段は、空間重複入力を用いて連続階調入力を変化させ、ディザマトリクスまたはディザ量のルックアップテーブルで用いるために変化させた連続階調入力を生成することによって、プリントヘッドセグメントの重複領域を調整する出力二値を生成する。ハーフトーンまたはディザマトリクス調整手段は、ハードウエアにおいて、またはアルゴリズムを用いたソフトウエア手段により実行される。
【００１４】
【実施の形態の詳細な説明】
付帯の特許請求の範囲で本発明を詳細に示す。前述した発明の利点および更なる利点は、添付図面に関連する以下の説明を参照することで、より深く理解することができる。
【００１５】
第１の実施の形態において、隣接プリントヘッドセグメントの相対的な位置ずれを変動させる温度を補正する方法が、隣接セグメント間の重複を調整するディジタル処理メカニズムを用いることにより提供される。
【００１６】
Ａ４ページ幅をカバーするプリントヘッドでは、千鳥状のペアを繰り返し配置した９箇所の重複部を有する１０のセグメントとすることができる。セグメントの初期アライメントは、モノリシック製造技術分野において周知の技術を用いて１０ミクロン以内で製造することができる。６色インク配列のセグメント幅は、１つのセグメントのノズルが縦方向のジグザグパターンで１６ミクロン間隔に配置されるとして約２２５ミクロンとなる。
【００１７】
本実施の形態において、各プリントヘッドセグメントの現在の温度特性を計測できるよう温度センサが各プリントヘッドセグメントに配置される。そして、現在温度計測値を利用して、隣接プリントヘッドセグメント間の重複量を定量する。
【００１８】
代替として、プリントヘッドのセグメントが物理的特性や性能において互いに十分類似する、および、重複したセグメントの各ペアの周囲環境が実質的に同様であると考えられる場合、温度センサは1個だけ使用すればよい。
【００１９】
次いで、重複度を用いて、隣接プリントヘッドセグメント間のハーフトーニングを制御するメカニズムが提供される。本発明の画像出力は、当該技術分野で周知の方法や技術を採用するディジタルハーフトーニング手段によって行われると仮定する。多くの異なるハーフトーニング技術が利用されており、それについてはUlchney著「Digital HalfToning」(MIT出版)を参照されたい。
【００２０】
図１に示すように、隣接プリントヘッドセグメント２、３は、それぞれの領域１２、１３で重複する。重複領域は解像度１６００ｄｐｉに対して１６ミクロン離間した６４個分のノズルの重複を提供する約４００００（〜１ｍｍ）に拡張してもよい。セグメント２の領域１０において、このセグメントのノズルはインク吐出に関して単独で使用される。同様にセグメント３の領域１１において、このセグメントのノズルは、インク吐出に関して単独で使用される。重複領域１２、１３において、領域１２でプリントするのにプリントヘッドセグメント２のエッジ１４に沿って単独でノズルが使用され、同様にプリントのためにエッジ１５に沿ってセグメント３のノズルがほぼ単独で使用されるよう、２つのプリントヘッドセグメント２、３間で「混合」が行なわれる。この間の補間は線形でもそれ以外でもよく、これら２つの端部位置の間で行なわれる。従って、図２に示すように、ページ上にフルカラー出力印刷する場合、側部１７上のエリアは、プリントヘッドセグメント１０により単独でプリントされ、その一方でエリア１８は、２つのセグメントのノズル間の混合を成すエリア１９と共にプリントヘッドセグメント１１（黒ドットで図示）により単独でプリントされる。プリントプロセスは、前記の引用文献に開示されるような周知のハーフトーニングマトリクスを用いる。周知のハーフトーニングマトリクスが用いられるが、実際に用いるプリントヘッドセグメントは、重複セグメント間の重複の計測値により定められる混合比に依存することになろう。
【００２１】
かかる方法の１つは、重複領域内の線形補間を示す図３で説明される。重複区分１２に対応する領域内のエッジ１４では、プリントヘッドセグメント２のノズルは１００％利用されており、プリントヘッドセグメント３の対応領域であるエッジ７において、出力は０である。セグメント２のライン１４からの重複領域の距離はセグメント３のライン１５に向かって増加するため、区分１２のノズルの利用比率は徐々に減少し（線形で）、エッジ９で０となり、その一方で区分１３のノズルの使用は徐々に増加し、エッジ１５に到達するまでには１（１００％）となる。ノズル間の重複が増加する第１の実施の形態では、使用されるハーフトーニングスレッショルドが重複領域において増加する。これにより混合領域においてプリントされるドット数は減少する。反対に、プリントヘッドセグメントが通常許容されるよりもわずかに離間している状態で重複が減少する場合、ハーフトーニングスレッショルドを低減することによりドット周波数を増加することができる。
【００２２】
図４に示すように、全体の一般的なハーフトーニング編成に、総和手段２７へ現在のディザ値２６を出力するディザマトリクス２５を提供し、総和手段２７は、別の入力２８で、隣接セグメント間の重複度に依存して正または負の検出のいずれかに変化する重複信号を有する。ハーフトーンデータ３１を出力するよう総和手段または加算器２７の出力値２９を、比較器３０を介して入力連続階調データ３２と比較する。代替の編成では、ディザを適用する前にデータ値２８が連続階調データ２９から引かれ、同様の結果を生み出すことが可能である。この編成は図５に示される。
【００２３】
図５に示すように、ハーフトーンデータ出力５２は、ディザマトリクス４０の出力４２を加算器４６で重複信号４４と組み合わせ、その後加算器４６の出力５４と連続階調データ４８との差分を減算器５０でとることにより発生する。これは図４の編成に相当する。
【００２４】
図３および図４に関して前述したような編成を用いて、隣接プリントヘッドセグメント間の筋状のアーチファクトの形成を低減するよう重複混合の制御の度合いが提供される。
【００２５】
各重複信号２８がキャリブレーションファクタと掛け合わされキャリブレーションオフセットファクタに加算されるので、隣接プリントヘッドセグメントの位置精度を大幅に低下させることもできる。従って、隣接プリントヘッドセグメントは、製造時は互いに大体の位置を合わせればよい。そして隣接セグメントのノズル間での重複度を決定するために既知の温度でテストパターンがプリントアウトされる。特定温度範囲に対して重複度が一旦定量されると、プリントヘッドセグメントの重複に個々に分解されるオンデマンドの全オフセット値を提供するよう、一連の対応値がプログラマブルＲＯＭ記憶装置に書き込まれる。
【００２６】
本発明の更なる実施の形態は、プリントヘッドの重複ヘッドセグメント間のアーチファクトの形成を低減するソフトウエアソリューションの使用を伴う。プリントヘッドセグメント間の可変重複の調整に関するアルゴリズムの実行を含むディザマトリクスの完全なソフトウエア実行は、付属書Ａとして添付される。プログラムはプログラミング言語Ｃで記述されている。アルゴリズムは当該技術分野に精通した者の知識の範囲内で、必要な変更を加えて他のコードで記述してもよい。アルゴリズムの基本を以下で説明する。
【００２７】
分散ドット確率ディザは、二値ドットを用いて連続階調画素値を再生するのに用いられる。分散ドットディザは、高い空間周波数、すなわち、画像の細部をドットの解像度のほぼ限界まで再生し、それと同時に、目で空間的に集約される場合の全体の強度深度まで、低い空間周波数を再生する。確率ディザマトリクスは、ページ全体にタイルされる場合に好ましくない低周波パターンが存在しないよう設計される。
【００２８】
ドットの重複は、ドットゲイン技術を用いて形成することができる。ドットゲインとは、ドットパターンの理想の強度から、パターンがプリントされる時に実際に生成される強度への増加分のことである。インクジェットプリンティングにおいて、ドットゲインは、主にインク滲みが原因で発生する。滲み自体はインクとプリント媒体の特性の関数である。顔料インクは媒体内部に拡散せずに表面上で滲む。染料インクは媒体内部のセルロース繊維に沿って拡散する。表面コーティングは滲み低減のために使用される。
【００２９】
ドット重複の効果がドットゲインと同じ方法でドットの分散を検出するため、重複のない完全なページタイリングとして理想ドットを形成するのに有用である。実際のインクジェットドットがほとんど円形で隣接ドットと重複するのに対し、理想のドットは、正方形で形成される。理想と実際のドットの形状は、このようにドットゲインパラメータとなる。
【００３０】
ドットゲインはエッジ効果であり、すなわちプリントされたドットと隣接する未プリント領域との間のエッジに沿って顕在化させる効果である。ドットゲインは、ドットパターンのエッジ結合と、そのドットトパターンエリアとの比に比例する。ドットゲインに対処する２つの技術は、分散ドットディザおよびクラスタドットディザである。分散ドットディザにおいて、ドットはエリアに対して均一に分配され、例えば強度５０％のドットでは、チェッカーボードパターンが使用される。クラスタドットディザにおいて、ドットは、プリントされるドットの強度に等しい「有色」領域と「無色」領域の比で、単一の中央の「有色」エリアと「無色」境界とで再現される。従って分散ドットディザはクラスタドットディザよりドットゲインが生じやすい。
【００３１】
２つの隣接プリントヘッドセグメントは、多数の重複するノズルを有する。一般的に、隣接セグメントにおける対応ノズル間の位置精度は完全ではない。ローカルレベルでは、ノズル間隔の半分のプラスまたはマイナスの位置ずれが起こることもあり、すなわち１６００ｄｐｉではおよそプラスマイナス８ミクロンである。高レベルでは、重複ノズル数が実際に変動可能である。
【００３２】
重複によるブリッジを通過して、一方のセグメントから次のセグメントへの出力を滑らかに混合する第１のアプローチは、一方のセグメントから他方のセグメントへ重複領域を横切る２つのセグメントに対して連続階調入力を混合することからなる。出力が重複領域を横切って進行するので、図３に関して前述したように、第２のセグメントは、入力連続階調値の増加率を受け取り、第１のセグメントは、それに対応して減少率を受け取る。線形または高次補間を使用することができる。そして２つのセグメントを介した出力のディザ処理に用いられるディザマトリクスは、ノズルレベルで位置合わせされる。
【００３３】
第１のアプローチには２つの欠点がある。第一に、特定ドット位置でのディザスレッショルド値が、両方のセグメントの補間された連続階調値よりも小さければ、両方のセグメントがその位置のドットを形成するであろう。２個のドットが重複することになるため、２つのディザマトリクスにより確約された強度は、部分的にのみ再生され、全体の強度の損失につながるであろう。これは対応するノズル両方で１個のドットを形成しないことを確保することにより修正される。また、これは現在の補間因子により与えられる確率に応じて、セグメント切り替えに関する逆ディザマトリクスを用いることにより、または単一ディザマトリクスを介して連続階調値をディザし、出力ドットを一方のノズルあるいは他方のノズルに確率的に割り当てることにより、達成される。
【００３４】
第二に、異なるセグメントによりプリントされる隣接ドットが重複するため、これもまた全体の強度の損失につながるであろう。
【００３５】
図６に示すように、各重複されたセグメントの値は、０．０と１．０との間でそれぞれＶAおよびＶBとして、水平軸６０、６２に沿ってプロットされる。計算された出力６６は、０．０から１．０の範囲の値に対して関数ＩA+Bとして垂直軸６４に対応してプロットされる。輪郭平面６８は、ＩA+B＝０．５の場合の結果値を示す。
【００３６】
図６は、２つのセグメントの入力連続階調値ＶAおよびＶBと観測出力強度ＩA+Bを結合する３次元関数の定性的形状を示す。第１のアプローチに関し、入力連続階調値Ｖと補間因子ｆは共にＶA＝（１−ｆ）ＶとＶB＝ｆＶを導出する。補間因子が０．５に近づくにつれ、入力連続階調値と観測出力強度との間の距離が大きくなる。Ｖ＝１．０の場合、垂直のＶA＋ＶB＝１．０平面上の曲線２００によってこれが図６で説明されている。定義によってこの曲線は関数の表面上に存在する。図６では、何らかの類いの混合が発生した場合、すなわち０．０＜ｆ＜１．０の場合に出力強度が減衰し、所望の出力強度を得るためには、２つのセグメントの入力値の総和が所望の出力値を超える、すなわちＶA＋ＶB＞Ｖであるものとすることを示唆する。これによって付属書Ａの基本アルゴリズムを形成する。
【００３７】
関数は１つのセグメントのみが出力に寄与する場合の線形の応答、すなわちｆ＝０．０またはｆ＝１．０を示す。これは当然、ディザマトリクスがドットゲイン効果を含むと仮定している。
【００３８】
前述の説明は、本発明の特定の実施の形態に限られたものである。しかしながら、本発明に変更や修正を加えても本発明の幾つか、もしくはすべての利点を実現できることは明らかであろう。例えば、適切にプログラムされたディジタルデータ処理システムにおいて、本発明はハードウエアまたはソフトウエアのいずれでも実施することができ、それぞれの当該技術分野に精通する一般的な技術者がその両方を容易に達成できることは言うまでもない。従って、本発明の真の精神や適用範囲内で為されるそのようなすべての変更や修正を対象とすることが付帯の特許請求の範囲の目的である。
【図面の簡単な説明】
【図１】  本発明による一組の隣接プリントヘッドセグメントの概略図である。
【図２】  図１で示す隣接プリントヘッドセグメントからドットをプリントするプロセスを示す。
【図３】  本発明の隣接プリントヘッドセグメント間のドットを混合するプロセスを示す。
【図４】  本発明の実施の形態によるディザマトリクス変動制御のプロセスを示す。
【図５】  本発明の別の実施の形態によるディザマトリクス変動制御のプロセスを示す。
【図６】  本発明の更なる実施の形態によるディザマトリクスの変動制御の更なるプロセスを実行するアルゴリズムを図示する。
【符号の説明】
２  プリントヘッドセグメント
３  プリントヘッドセグメント
７  エッジ
８  プラスマイナス
９  エッジ
１０  プリントヘッドセグメント
１１  プリントヘッドセグメント
１２  重複区分
１３  区分
１４  エッジ、ライン
１５  エッジ、ライン
１７  側部
１８  エリア
１９  エリア
２５  ディザマトリクス
２６  ディザ値
２７  加算器
２８  データ値
２９  出力値
３０  比較器
３１  ハーフトーンデータ
３２  入力連続階調データ
４０  ディザマトリクス
４２  出力
４４  重複信号
４６  加算器
４８  連続階調データ
５０  減算器
５２  ハーフトーンデータ出力
５４  出力
６０  水平軸
６２  水平軸
６４  垂直軸
６６  出力
６８  輪郭平面
２００  曲線
ｆ  補間因子
ＶA  入力連続階調値
ＶB  入力連続階調値
ＩA+B  観測出力強度
【図１】
0004460206.tif 000002
【図２】
0004460206.tif 000003
【図３】
0004460206.tif 000004
【図４】
0004460206.tif 000005
【図５】
0004460206.tif 000006
【図６】
0004460206.tif 000007